(57)【特許請求の範囲】
【請求項１】
雄側コネクタと、
これに結合される雌側コネクタとを具備すると共に、
それらのいずれか一方に設けられた係合部と、
他方に回動可能に設けられ、その回動により前記係合部を進入させる渦巻き状の被係合部を有するレバーとを具備し、
その被係合部をレバーの回動中心部まで延ばして形成すると共に、
前記係合部を設けたコネクタに斜面を設け、この斜面を設けたコネクタに対する、前記レバーを設けたコネクタの挿入時に、その挿入が充分でなかったとき、前記レバーの挿入先方側の角部が前記斜面に摺接して該レバーが回動することにより、前記レバーを設けたコネクタが、前記斜面を設けたコネクタ側とは反対側に戻されるようにしたことを特徴とするコネクタ装置。
【発明の詳細な説明】
【０００１】
【発明の属する技術分野】
本発明は多極形のものに好適するコネクタ装置に関する。
【０００２】
【発明が解決しようとする課題】
従来より、電気配線の接続に用いられるコネクタ装置においては、接触子の個数が多くなるに伴い、雄側コネクタと雌側コネクタとの結合時における接触子の接触摩擦抵抗が大きくなって、操作力が大きく必要となる事情を有している。
このため、接触子を多数有する多極形のコネクタ装置においては、結合操作に更に大きな力が必要であった。
【０００３】
本発明は上述の事情に鑑みてなされたものであり、従ってその目的は、結合の操作力を軽減できるコネクタ装置を提供するにある。
【０００４】
【課題を解決するための手段】
上記目的を達成するために、本発明のコネクタ装置は、雄側コネクタと、これに結合される雌側コネクタとを具備すると共に、それらのいずれか一方に設けられた係合部と、他方に回動可能に設けられ、その回動により前記係合部を進入させる渦巻き状の被係合部を有するレバーとを具備し、その被係合部をレバーの回動中心部まで延ばして形成すると共に、前記係合部を設けたコネクタに斜面を設け、この斜面を設けたコネクタに対する、前記レバーを設けたコネクタの挿入時に、その挿入が充分でなかったとき、前記レバーの挿入先方側の角部が前記斜面に摺接して該レバーが回動することにより、前記レバーを設けたコネクタが、前記斜面を設けたコネクタ側とは反対側に戻されるようにしたことを特徴とする。
【０００５】
このものによれば、被係合部の渦巻き始端部に係合部が位置するまで雄側コネクタと雌側コネクタとを嵌合させた後、レバーを回動させると、該レバーは渦巻き状の被係合部に係合部を進入させ、この進入が進むに従って雄側コネクタと雌側コネクタとの結合が深まる。
【０００６】
このとき、レバーはてこの働きをし、しかも、そのてこの支点から作用点までの距離が漸次小さくなることになる。よって、雄側コネクタと雌側コネクタとの結合が深まるのに対し、レバーに加える力を増さずに漸次大きな結合力を与えることができるようになる。
そして、その場合、特には被係合部をレバーの回動中心部まで延ばして形成したことにより、上述のてこの支点から作用点までの距離がより小さくなり、より大きな結合力を与えることができるようになる。
そのほか、斜面を設けたコネクタに対する、レバーを設けたコネクタの挿入時に、その挿入が充分でなかったとき、レバーの挿入先方側の角部が、係合部を設けたコネクタが有する斜面に摺接して該レバーが回動することで、レバーを設けたコネクタが、斜面を設けたコネクタ側とは反対側に戻されることにより、レバーを設けたコネクタが斜面を設けたコネクタに結合されないことが分かり、結合操作のし直しの必要を知らしめることができる。
【０００７】
【発明の実施の形態】
以下、本発明の一実施例につき、図面を参照して説明する。
まず、図１の（ａ）及び図２の（ａ）には、雄側コネクタ１と、雌側コネクタ２とを結合前の状態で示している。このうち、雄側コネクタ１は、ハウジング３を外殻とし、これの内部に多数の雄側接触子４を設けて構成している。
【０００８】
ハウジング３は、詳細には、この場合、接続対象の導電部（図示省略）を有するベース部５に、プラスチック等の絶縁材により一体に形成したものであり、概ね矩形ボックス状を成し、先端面が全面的に開放している。又、このハウジング３の上面は、両側に覆い部６を有する以外、開放しており、その覆い部６間は所定の距離を置いて離間している。更に、このハウジング３の上面の開放部の奥縁部のほゞ中央には、係止部としての突部７を突設している。
【０００９】
ハウジング３の内底面には、図６にも示すように、支柱８を立設しており、この支柱８の上端部の一方側面（図６中、右側面）に、係合部としてのほゞ円柱状を成す突起９を突設している。なお、ハウジング３の先端開放部に臨む支柱８の縁部には、漸降状のガイド面である斜面８ａ（図１参照）を形成している。
又、雄側接触子４は、導電材製で、ピン状を成しており、その各基端部を前記ベース部５内の導電部に接続し、ハウジング３内の奥部から開放部側へ突設している。
【００１０】
これに対して、雌側コネクタ２は、ハウジング１０を外殻とし、これに図７に示すように多数の雌側接触子１１を設けて構成している。ハウジング１０は、詳細には、この場合、プラスチック等の絶縁材により単独に形成したもので、中央部に凹部１２を有する矩形のブロック状を成している。凹部１２は、先方及び上下の両方に開放しており、この凹部１２の一方側面部（図７中、左側面部）に、軸穴１３を形成している。又、凹部１２より後方のハウジング１０上面部には、係止部としての小凹部１４を形成している。
【００１１】
なお、雌側接触子１１は、ハウジング１０の両側部にそれぞれ先方に向けて埋設しており、その一つ一つが前記雄側コネクタ１の雄側接触子４に対応している。又、ハウジング１０からは、雌側接触子１１に接続したリード線１５を後方に導出させている。
【００１２】
そして、ハウジング１０の凹部１２には、レバー１６を組み込んでいる。このレバー１６も、プラスチック等の絶縁材により単独に形成したもので、概ね矩形のブロック状を成し、その一方側面部（図７中、左側面部）に、軸１７を突設している。
【００１３】
又、このレバー１６の他方側面部（図７中、右側面部）には、前記雄側コネクタ１の突起９（係合部）と対応する被係合部としての溝１８を形成している。この溝１８は、図８にも示すように、レバー１６の先方側（図８中、左側）の下角部から後上方へ、そして後下方へと延びる渦巻き状を成しており、その奥端部は軸１７と左右に並び合う位置まで延びている。又、溝１８の幅は、突起９の直径とほゞ同じ（やゝ大きめ）に定めている。
【００１４】
更に、レバー１６の上部の後端部には、手掛け部１９を突設しており、ここの下方に前後に延びる孔２０を形成し、この孔２０内から後方（図中、右側）に係合アーム２１を形成している。この係合アーム２１は、前端部が孔２０の内奥部（前部）に連なっており、この前端部を支点として孔２０内を上下に弾性変位し得るもので、上面部に、前記雄側コネクタ１の突部７（係止部）と対応する被係止部としての爪２２を有し、下面部に、雌側コネクタ２の前記小凹部１４（係止部）と対応する被係止部としての爪２３を有している。
【００１５】
なお、レバー１６の上部の前記手掛け部１９寄りの部分には、図９に示すように孔２４を形成しており、この孔２４によって、上記係合アーム２１の上面の爪２２を成形した金型を抜いている。
【００１６】
この構成で、ハウジング１０の凹部１２に組み込んだレバー１６は、軸１７を孔１３に嵌合しており、これによって、ハウジング１０に対し、レバー１６がその軸１７を中心に回動し得るようになっている。従って、軸１７及びこれと左右に並び合う位置は、レバー１６の回動中心部であり、前述のようにその軸１７と左右に並び合う位置まで延びた溝１８は、すなわち、レバー１６の回動中心部まで延びている。
【００１７】
次に、上記構成のものの作用を述べる。
まず、図１の（ａ）及び図２の（ａ）は、前述のように、雄側コネクタ１と、雌側コネクタ２とを結合前の状態で示している。このとき、レバー１６は、係合アーム２１の爪２３を雌側コネクタ２の小凹部１４に係止させて、溝１８の渦巻き始端部である前端部が前方を指向する状態に保持しておく。
【００１８】
この状態で、次に、図１の（ｂ）及び図２の（ｂ）に示すように、雌側コネクタ２を雄側コネクタ１のハウジング３内に、溝１８の前端部に突起９が位置するまで挿入する（矢印Ａ）。このとき、レバー１６は雄側コネクタ１の覆い部６間に位置する。
【００１９】
そして、手を持ち替え、図１の（ｃ）及び図２の（ｃ）に示すように、レバー１６の手掛け部１９を下方から上方に押し上げる（矢印Ｂ）。すると、上記係合アーム２１の爪２３が雌側コネクタ２の小凹部１４から離脱してレバー１６の保持が解除され、更に、そのレバー１６が図中反時計回りに回動されることによって、溝１８内に突起９を進入させる。
【００２０】
この後、レバー１６の手掛け部１９を更に押し進めることによってレバー１６を更に図中反時計回りに回動させれば、図１の（ｄ）、そして（ｅ）に示すように、溝１８内への突起９の進入が進む。溝１８は渦巻き状であり、この溝１８内への突起９の進入が進めば、それに伴い、雌側コネクタ２が雄側コネクタ１のハウジング３内の奥深くに漸次進入し、雄側コネクタ１と雌側コネクタ２との結合が深まって、雄側接触子４に雌側接触子１１が嵌合接触する。
【００２１】
このとき、レバー１６はてこの働きをし、しかも、そのてこの支点である回動中心部から力点である手掛け部１９までの距離が一定であるのに対して、回動中心部（支点）から作用点である突起９との接触部までの距離は漸次小さくなる。よって、雄側コネクタ１と雌側コネクタ２との結合が深まるのに対し、レバー１６に加える力を増さずに漸次大きな結合力を与えることができる（てこの原理）。
【００２２】
更に、本構成のものの場合、溝１８はレバー１６の回動中心部まで延ばして形成しており、レバー１６の手掛け部１９を更に押し進めることによりレバー１６を更に図中反時計回りに回動させれば、レバー１６は、図１の（ｆ）に示すように、突起９をレバー１６の回動中心部（溝１８の最奥部）まで進入させる。これにより、上述のてこの支点である回動中心部から作用点である突起９との接触部までの距離は、より小さくなり、それによって、より大きな結合力を与えることができる。
【００２３】
従って、雄側接触子４及び雌側接触子１１を多数有する関係上、雄側コネクタ１と雌側コネクタ２との結合時におけるそれら接触子４，１１の接触摩擦抵抗が大きくなる事情にあっても、その雄側コネクタ１と雌側コネクタ２との結合に大きな操作力を要することはなく、その結合の操作力を充分に軽減することができる。
【００２４】
なお、突起９をレバー１６の回動中心部（溝１８の最奥部）まで進入させたとき、レバー１６は、係合アーム２１の爪２２を雄側コネクタ１の突部７に係止させて雌側コネクタ２を雄側コネクタ１に充分に結合させた状態に保持される（図２の（ｄ）も参照）。
【００２５】
又、最初の、雄側コネクタ１に雌側コネクタ２を挿入した時点で、その挿入が充分でなかったとき、レバー１６の手掛け部１９を上述同様に押し上げると、レバー１６は、図３に示すように、先方側の角部１６ａを支柱８の斜面８ａに摺接させて回動し、これによって、雌側コネクタ２が反雄側コネクタ１側に戻される。従って、それにより、雌側コネクタ２が雄側コネクタ１に結合されないことが分かり、結合操作のし直しの必要を知らしめることができる。
【００２６】
一方、上述の結合状態は図４の（ａ）及び図５の（ａ）にも示すごとくであり、この状態から、図４の（ｂ）及び図５の（ｂ）に示すように、レバー１６の手掛け部１９を引く（矢印Ｃ）と、レバー１６が図中時計回りに回動して、係合アーム２１の爪２２を雄側コネクタ１の突部７から離脱させる。又、このとき、レバー１６の先方側の角部１６ａが、雄側コネクタ１のハウジング３の奥端面に圧接して雌側コネクタ２をそのハウジング３の奥端面から離間させ、溝１８の最奥部（レバー１６の回動中心部）から突起９を退出させる。
【００２７】
そして、レバー１６の手掛け部１９を更に引くことによってレバー１６を更に図中時計回りに回動させれば、図４の（ｃ）に示すように、溝１８内の突起９の退出が進む。溝１８は前述のように渦巻き状であり、この溝１８内の突起９の退出が進めば、それに伴い、図４の（ｄ）及び図５の（ｃ）に示すように、雌側コネクタ２が雄側コネクタ１のハウジング３から漸次抜ける。
【００２８】
又、図中時計回りに回動されたレバー１６は、係合アーム２１の爪２３が雌側コネクタ２の小凹部１４に係止されることによって、溝１８の渦巻き始端部である前端部が前方を指向する状態に戻し保持される。
この後、雄側コネクタ１から雌側コネクタ２を引き抜けば、図４の（ｅ）及び図５の（ｄ）に示すように、それらは完全に引き離される。
【００２９】
なお、上記実施例では突起９を雄側コネクタ１に設け、レバー１６を雌側コネクタ２に設けたが、それとは反対に、突起９を雌側コネクタ２に設け、レバー１６を雄側コネクタ１に設けても実施するようにしても良い。又、それら突起９と溝１８で例示した係合部と被係合部の凹凸関係も、上記実施例とは反対に、係合部が凹状を成し、被係合部が凸状を成すものであっても良い。
そのほか、本発明は上記し且つ図面に示した実施例にのみ限定されるものではなく、要旨を逸脱しない範囲内で適宜変更して実施し得る。
【００３０】
【発明の効果】
以上の記述で明らかなように、本発明のコネクタ装置は、雄側コネクタと、これに結合される雌側コネクタとのいずれか一方に設けられた係合部と、他方に回動可能に設けられ、その回動により前記係合部を進入させる渦巻き状の被係合部を有するレバーとを具備し、その被係合部をレバーの回動中心部まで延ばして形成したことを特徴とするもので、それにより、雄側コネクタと雌側コネクタとの結合に、より大きな結合力を与え得るから、その結合に大きな操作力を要することがなく、結合の操作力を充分に軽減することができる。
併せて、本発明のコネクタ装置は、前記係合部を設けたコネクタに斜面を設け、この斜面を設けたコネクタに対する、前記レバーを設けたコネクタの挿入時に、その挿入が充分でなかったとき、前記レバーの挿入先方側の角部が前記斜面に摺接して該レバーが回動することにより、前記レバーを設けたコネクタが、前記斜面を設けたコネクタ側とは反対側に戻されるようにしたことをも特徴とするもので、それにより、斜面を設けたコネクタに対する、レバーを設けたコネクタの挿入が充分でなかったとき、レバーを設けたコネクタが、斜面を設けたコネクタ側とは反対側に戻されることで、レバーを設けたコネクタが斜面を設けたコネクタに結合されないことが分かり、結合操作のし直しの必要を知らしめることができる。
【図面の簡単な説明】
【図１】本発明の一実施例を、結合の進行順（ａ〜ｆ）に示すそれぞれ雄側コネクタと雌側コネクタの縦断側面図
【図２】結合の進行順（ａ〜ｄ）に示すそれぞれ雄側コネクタと雌側コネクタの斜視図
【図３】挿入不充分状態で結合操作を行ったときの雄側コネクタと雌側コネクタの縦断側面図
【図４】分離の進行順（ａ〜ｅ）に示すそれぞれ雄側コネクタと雌側コネクタの縦断側面図
【図５】分離の進行順（ａ〜ｄ）に示すそれぞれ雄側コネクタと雌側コネクタの斜視図
【図６】雄側コネクタ単体の正面図
【図７】雌側コネクタとレバーとの分解斜視図
【図８】レバー単体の側面図
【図９】レバー単体の平面図
【符号の説明】
１は雄側コネクタ、２は雌側コネクタ、８ａは斜面、９は突起（係合部）、１３は軸穴、１６はレバー、１６ａはレバーの角部、１７は軸、１８は溝（被係合部）を示す。
【図１】
0004047510.tif 000002
【図２】
0004047510.tif 000003
【図３】
0004047510.tif 000004
【図４】
0004047510.tif 000005
【図５】
0004047510.tif 000006
【図６】
0004047510.tif 000007
【図７】
0004047510.tif 000008
【図８】
0004047510.tif 000009
【図９】
0004047510.tif 000010